(57)【特許請求の範囲】
【請求項１】
(a) 誘電体により形成された平板と、
(b) 前記平板の第１主面上に設けられた導体であり、前記平板の外周に沿って形成された環状電極と、
(c) 前記平板の前記第１主面上に設けられた導体であり、前記環状電極の内側に形成された複数のパッド電極と、
(d) 各々が、前記第１主面と逆側の第２主面上に設けられた導体であり、前記複数のパッド電極のうちの対応するものと貫通孔を介して接続される複数の信号配線と、
(e) 各々が、前記平板の前記第２主面上に設けられた導体であり、前記環状電極と同電位とされた複数の保護配線と、
(f) 前記複数のパッド電極のうちの隣接するもの同士の間に形成されるとともに、前記環状電極と接続された架橋電極と、
を備え、
前記複数の信号配線のそれぞれは、前記平板を挟んで前記環状電極と対向する第１領域を経由しており、
前記複数の保護配線のそれぞれは、前記第１領域を経由するとともに、
前記複数の信号配線のうちの隣接する２つの間に、前記複数の保護配線のうちの一の第１配線が設けられていることを特徴とする静電容量型の検知基板。
【請求項２】
請求項１に記載の検知基板において、
前記複数の保護配線のうちの隣接する２つの間に、前記複数の信号配線のうちの一の第２配線が設けられていることを特徴とする静電容量型の検知基板。
【請求項３】
(a) 誘電体により形成された平板と、
(b) 前記平板の第１主面上に設けられた導体であり、前記平板の外周に沿って形成された環状電極と、
(c) 前記平板の前記第１主面上に設けられた導体であり、前記環状電極の内側に形成された複数のパッド電極と、
(d) 各々が、前記第１主面と逆側の第２主面上に設けられた導体であり、前記複数のパッド電極のうちの対応するものと貫通孔を介して接続される複数の信号配線と、
(e) 各々が、前記平板の前記第２主面上に設けられた導体であり、前記環状電極と同電位とされた複数の保護配線と、
(f) 前記複数のパッド電極のうちの隣接するもの同士の間に形成されるとともに、前記環状電極と接続された架橋電極と、
を備え、
前記複数の信号配線のそれぞれは、前記平板を挟んで前記環状電極と対向する第１領域を経由しており、
前記複数の保護配線のそれぞれは、前記第１領域を経由するとともに、
前記複数の保護配線のうちの隣接する２つの間に、前記複数の信号配線のうちの一の第２配線が設けられていることを特徴とする静電容量型の検知基板。
【請求項４】
請求項１から請求項３のいずれかに記載の検知基板において、
前記複数の信号配線および前記複数の保護配線のうち、前記環状電極の外周に最近接するものは、前記複数の保護配線のうちの一の第３配線であることを特徴とする静電容量型の検知基板。
【請求項５】
請求項４に記載の検知基板において、
前記第３配線は、前記複数の信号配線を囲繞するように設けられていることを特徴とする静電容量型の検知基板。
【請求項６】
請求項１から請求項５のいずれかに記載の検知基板において、
(i) 前記複数のパッド電極のうちの一の電極を注目電極と、
(ii)  前記複数の信号配線のうち前記注目電極に対応するものを対応配線と、
(iii) 前記第２主面上であって、前記平板を挟んで前記注目電極と対向する領域を第２領域と、
それぞれ定義する場合、
前記第１領域に配置された前記複数の信号配線および前記複数の保護配線のうち、前記対応配線の次に前記第２領域に近接するものは、前記複数の保護配線のうちの一の第４配線であることを特徴とする静電容量型の検知基板。
【請求項７】
請求項１から請求項６のいずれかに記載の静電容量型の検知基板と、
対応する信号線を介して前記検知基板に設けられた前記複数のパッド電極および前記環状電極のそれぞれと接続されており、前記複数のパッド電極のそれぞれと、前記環状電極との間の静電容量の変化を検出する検出部と、
を備えることを特徴とする静電容量型の検知ユニット。
【請求項８】
少なくとも一部に誘電体が設けられた対象物の収納状況を管理する管理システムであって、
前記対象物を収納可能な収納ユニットと、
前記収納ユニット内に設けられており、
請求項１から請求項６のいずれかに記載の検知基板と、
対応する信号線を介して前記検知基板に設けられた前記複数のパッド電極および前記環状電極のそれぞれと接続されており、前記複数のパッド電極のそれぞれと、前記環状電極との間の静電容量の変化を検出する検出部と、
を有する静電容量型の検知ユニットと、
前記検知ユニットの検出結果に基づいて、前記対象物の収納状況を判断する情報処理ユニットと、
を備え、
前記収納ユニットは、
前記対象物を収納可能な複数の収納空間が形成された載置部と、
前記検知基板の前記第１主面を覆うカバーと、
を有し、
前記検知基板は、
前記第１主面が前記収納ユニットに収納された前記対象物と対向するとともに、
前記複数のパッド電極のそれぞれが、前記複数の収納空間のうちの対応するものの下方に位置するように、
配置されていることを特徴とする管理システム。
【請求項９】
請求項８に記載の管理システムであって、
前記載置部は、
前記複数の収納空間のうち隣接するもの同士の間に設けられた間仕切り、
をさらに有し、
前記間仕切りは、前記検知基板上の前記架橋電極のうちの対応するものの直上に位置するように、配置されていることを特徴とする管理システム。
【発明の詳細な説明】
【技術分野】
【０００１】
本発明は、少なくとも一部に誘電体が設けられた対象物を、静電容量の変化に基づいて検知する検知基板および検知ユニット、並びにこの検知ユニットを用いた管理システムに関する。
【背景技術】
【０００２】
従来、静電容量変化に基づいたセンサが知られている（例えば、特許文献１）。
【先行技術文献】
【特許文献】
【０００３】
【特許文献１】特開２００７−２０１６４１号公報
【発明の概要】
【発明が解決しようとする課題】
【０００４】
しかし、特許文献１の接近センサは、人体検知のためのセンサであり、誘電体の接近状況を検知することはできない。
【０００５】
そこで、本発明では、誘電体の検知を可能とする静電容量型の検知基板および検知ユニット、並びにこの検知ユニットを用いた管理システムを提供することを目的とする。
【課題を解決するための手段】
【０００６】
上記の課題を解決するため、請求項１の発明は、誘電体により形成された平板と、前記平板の第１主面上に設けられた導体であり、前記平板の外周に沿って形成された環状電極と、前記平板の前記第１主面上に設けられた導体であり、前記環状電極の内側に形成された複数のパッド電極と、各々が、前記第１主面と逆側の第２主面上に設けられた導体であり、前記複数のパッド電極のうちの対応するものと貫通孔を介して接続される複数の信号配線と、各々が、前記平板の前記第２主面上に設けられた導体であり、前記環状電極と同電位とされた複数の保護配線と、前記複数のパッド電極のうちの隣接するもの同士の間に形成されるとともに、前記環状電極と接続された架橋電極、を備え、前記複数の信号配線のそれぞれは、前記平板を挟んで前記環状電極と対向する第１領域を経由しており、前記複数の保護配線のそれぞれは、前記第１領域を経由するとともに、前記複数の信号配線のうちの隣接する２つの間に、前記複数の保護配線のうちの一の第１配線が設けられていることを特徴とする。
【０００７】
また、請求項２の発明は、請求項１に記載の検知基板において、前記複数の信号配線のうちの隣接する２つの間に、前記複数の保護配線のうちの一の第１配線が設けられていることを特徴とする。
また、請求項３の発明は、誘電体により形成された平板と、前記平板の第１主面上に設けられた導体であり、前記平板の外周に沿って形成された環状電極と、前記平板の前記第１主面上に設けられた導体であり、前記環状電極の内側に形成された複数のパッド電極と、各々が、前記第１主面と逆側の第２主面上に設けられた導体であり、前記複数のパッド電極のうちの対応するものと貫通孔を介して接続される複数の信号配線と、各々が、前記平板の前記第２主面上に設けられた導体であり、前記環状電極と同電位とされた複数の保護配線と、前記複数のパッド電極のうちの隣接するもの同士の間に形成されるとともに、前記環状電極と接続された架橋電極と、を備え、前記複数の信号配線のそれぞれは、前記平板を挟んで前記環状電極と対向する第１領域を経由しており、前記複数の保護配線のそれぞれは、前記第１領域を経由するとともに、前記複数の保護配線のうちの隣接する２つの間に、前記複数の信号配線のうちの一の第２配線が設けられていることを特徴とする。
【０００８】
また、請求項４の発明は、請求項１から請求項３のいずれかに記載の検知基板において、前記複数の信号配線および前記複数の保護配線のうち、前記環状電極の外周に最近接するものは、前記複数の保護配線のうちの一の第３配線であることを特徴とする。
【０００９】
また、請求項５の発明は、請求項４に記載の検知基板において、前記第３配線は、前記複数の信号配線を囲繞するように設けられていることを特徴とする。
【００１０】
また、請求項６の発明は、請求項１から請求項５のいずれかに記載の検知基板において、前記複数のパッド電極のうちの一の電極を注目電極と、前記複数の信号配線のうち前記注目電極に対応するものを対応配線と、前記第２主面上であって、前記平板を挟んで前記注目電極と対向する領域を第２領域と、それぞれ定義する場合、前記第１領域に配置された前記複数の信号配線および前記複数の保護配線のうち、前記対応配線の次に前記第２領域に近接するものは、前記複数の保護配線のうちの一の第４配線であることを特徴とする。
【００１１】
また、請求項７の発明は、請求項１から請求項６のいずれかに記載の静電容量型の検知基板と、対応する信号線を介して前記検知基板に設けられた前記複数のパッド電極および前記環状電極のそれぞれと接続されており、前記複数のパッド電極のそれぞれと、前記環状電極との間の静電容量の変化を検出する検出部とを備えることを特徴とする。
【００１２】
また、請求項８の発明は、少なくとも一部に誘電体が設けられた対象物の収納状況を管理する管理システムであって、前記対象物を収納可能な収納ユニットと、前記収納ユニット内に設けられており、請求項１から請求項６のいずれかに記載の検知基板と、対応する信号線を介して前記検知基板に設けられた前記複数のパッド電極および前記環状電極のそれぞれと接続されており、前記複数のパッド電極のそれぞれと、前記環状電極との間の静電容量の変化を検出する検出部とを有する静電容量型の検知ユニットと、前記検知ユニットの検出結果に基づいて、前記対象物の収納状況を判断する情報処理ユニットとを備え、前記収納ユニットは、前記対象物を収納可能な複数の収納空間が形成された載置部と、前記検知基板の前記第１主面を覆うカバーとを有し、前記検知基板は、前記第１主面が前記収納ユニットに収納された前記対象物と対向するとともに、前記複数のパッド電極のそれぞれが、前記複数の収納空間のうちの対応するものの下方に位置するように、配置されていることを特徴とする。
【００１３】
また、請求項９の発明は、請求項８に記載の管理システムであって、前記載置部は、前記複数の収納空間のうち隣接するもの同士の間に設けられた間仕切り、をさらに有し、前記間仕切りは、前記検知基板上の前記架橋電極のうちの対応するものの直上に位置するように、配置されていることを特徴とする。
【発明の効果】
【００１６】
請求項１から請求項９に記載の発明において、平板の第１主面上にパッド電極および環状電極が形成され、平板の第２主面上に信号配線および保護配線が形成されている。また、信号配線および保護配線のそれぞれは、平板を挟んで環状電極と対向する第１領域を経由している。さらに、信号配線および保護配線は、隣接して設けられている。
【００１７】
これにより、パッド電極および環状電極に跨がるように誘電体が載置される場合、この載置に起因したパッド電極および環状電極の間の静電容量の変化を良好に検出できる。そのため、パッド電極および環状電極の間における静電容量の検出結果に基づいて、パッド電極の直上に誘電体が載置されているか否かの判断を良好に実行できる。
【００１８】
特に、請求項１、および請求項３から請求項９に記載の発明によれば、隣接する２つの信号配線の間に、保護配線（第１配線）が設けられている。これにより、隣接する信号配線の影響によってパッド電極および環状電極の間の静電容量が変動することを抑制できる。そのため、誘電体の載置に起因したパッド電極および環状電極の間の静電容量の変化を、さらに良好に検出できる。
【００１９】
特に、請求項４に記載の発明において、複数の信号配線および複数の保護配線のうち、環状電極の外周に最近接する位置には、保護配線（第３配線）が設けられている。これにより、他の電子部品から複数の信号配線が受けるノイズ等の影響を、低減できる。そのため、他の電子部品からのノイズ等に起因してパッド電極および環状電極の間の静電容量が変動することを抑制できる。
【００２０】
特に、請求項５に記載の発明によれば、第３配線（保護配線）によって、複数の信号配線を囲繞することができる。そのため、他の電子部品からのノイズ等に起因してパッド電極および環状電極の間の静電容量が変動することを、さらに抑制できる。
【００２１】
特に、請求項６に記載の発明では、対応配線以外の信号配線が、注目電極（パッド電極）に影響を及ぼすことを低減できる。そのため、対応配線以外の信号配線の影響によって、注目電極（パッド電極）および環状電極の間の静電容量が変動することを抑制できる。
【００２２】
また、請求項８および請求項９に記載の発明において、一部に誘電体を有する対象物であれば、この対象物に特別な装置を設けなくても、収納ユニット内の各収納空間における対象物の収納状況を取得できる。
【００２３】
特に、請求項９に記載の発明によれば、各収納空間の境界となる間仕切りは、対応する架橋電極の直上に配置されている。これにより、同一の対象物が同時に２以上のパッド電極の直上に載置されることを防止できる。そのため、各収納空間における収納状況の誤検出を未然に防止できる。
【図面の簡単な説明】
【００２４】
【図１】本発明の第１の実施の形態における収納ユニットの構成の一例を示す斜視図である。
【図２】本発明の第１の実施の形態における管理システムの構成の一例を示す側面図である。
【図３】本発明の第１の実施の形態における検知基板の構成の一例を示す平面図である。
【図４】本発明の第１の実施の形態における検知基板の構成の一例を示す裏面図である。
【図５】図４のＶ１−Ｖ１線から見た検知基板の断面斜視図である。
【図６】図４のＶ１−Ｖ１線から見た検知基板の断面斜視図である。
【図７】図４のＶ２−Ｖ２線から見た検知基板の断面斜視図である。
【図８】本発明の第１から第６の実施の形態における管理システムの機能構成の一例を示すブロック図である。
【図９】本発明の第２の実施の形態における検知基板の構成の一例を示す平面図である。
【図１０】本発明の第２の実施の形態における検知基板の構成の一例を示す裏面図である。
【図１１】本発明の第３の実施の形態における検知基板の構成の一例を示す平面図である。
【図１２】本発明の第３の実施の形態における検知基板の構成の一例を示す裏面図である。
【図１３】本発明の第４の実施の形態における検知基板の構成の一例を示す平面図である。
【図１４】本発明の第４の実施の形態における検知基板の構成の一例を示す裏面図である。
【図１５】本発明の第５の実施の形態における検知基板の構成の一例を示す平面図である。
【図１６】本発明の第５の実施の形態における検知基板の構成の一例を示す裏面図である。
【図１７】本発明の第６の実施の形態における検知基板の構成の一例を示す平面図である。
【図１８】本発明の第６の実施の形態における検知基板の構成の一例を示す裏面図である。
【図１９】本発明の第１の実施の形態における検知基板の構成の他の例を示す平面図である。
【発明を実施するための形態】
【００２５】
以下、図面を参照しつつ本発明の実施の形態について詳細に説明する。
【００２６】
＜１．第１の実施の形態＞
＜１．１．検知ユニット、収納ユニット、および管理システムの構成＞
図１は、本実施の形態における収納ユニット１の構成の一例を示す斜視図である。図２は、本実施の形態における管理システム１００の構成の一例を示す側面図である。ここで、管理システム１００は、対象物８の収納状況を管理する。図２に示すように、管理システム１００は、主として、収納ユニット１と、検知ユニット１０と、情報処理ユニット９０と、を備える。
【００２７】
なお、図１および以降の各図には、それらの方向関係を明確にすべく、必要に応じて適宜、Ｚ軸方向を鉛直方向とし、ＸＹ平面を水平面とするＸＹＺ直交座標系が、付されている。
【００２８】
収納ユニット１は、複数の対象物８を収納可能な箱体であり、収納ユニット１内には、検知ユニット１０が組込可能とされている（図２参照）。図１に示すように、収納ユニット１は、主として、本体部３と、載置部４と、を有している。
【００２９】
載置部４は、本体部３に対して進退および嵌め込み可能とされた引出である。載置部４には、各対象物８（８ａ、８ｂ）を収納可能な複数の収納空間６（６ａ〜６ｃ）が形成されている。図２に示すように、載置部４は、主として、カバー５と、複数の間仕切り７（７ａ、７ｂ）と、を有している。
【００３０】
カバー５は、検知基板２０の上面（第１主面）に設けられ、検知基板２０を保護する。対象物８として薬品瓶が用いられ、薬品瓶の収納状況を管理する薬品管理システムが構築される場合、カバー５の素材としては、例えば、耐薬品性を有するシリコン製のシート体が採用されても良い。
【００３１】
ここで、検知基板２０の平板２０ａに対して用いられる「主面」と言う用語は、平板２０ａの外面のうち主だった面を意味する。例えば、図２において、平板２０ａの「主面」とは、ＸＹ平面に対して平行な平面（すなわち、平板２０ａの上面および下面）を言う。
【００３２】
複数の間仕切り７（７ａ、７ｂ）は、複数の収納空間６（６ａ〜６ｃ）のうち隣接する者同士の間に設けられる。例えば、収納空間６ａ、６ｂは、間仕切り７ａによって仕切られる。
【００３３】
検知ユニット１０は、各収納空間６（６ａ〜６ｃ）に対象物８が収納されることによって変化する静電容量を検出する。図２に示すように、検知ユニット１０は、主として、検出部１５と、検知基板２０と、を有する。
【００３４】
ここで、本実施の形態の対象物８の下部には、図２に示すように、被検知体９が貼付されるとともに、被検知体９として誘電体が採用されている。そこで、本実施の形態では、被検知体９が検知基板２０に接近すること、または、被検知体９が検知基板２０に載置されること、により生ずる静電容量の変化に基づいて、各対象物８の収納状況を管理している。なお、検出部１５および検知基板２０の詳細な構成については、後述する。
【００３５】
情報処理ユニット９０は、検知ユニット１０の検出結果に基づいて、各収納空間６（６ａ〜６ｃ）における対象物８の収納状況を判断する。なお、情報処理ユニット９０の詳細な構成については、後述する。
【００３６】
＜１．２．検知基板の構成＞
図３および図４は、本実施の形態における検知基板２０の構成の一例を示す平面図および裏面図である。図５および図６のそれぞれは、図４のＶ１−Ｖ１線から見た検知基板２０の断面斜視図である。図７は、図４のＶ２−Ｖ２線から見た検知基板２０の断面斜視図である。
【００３７】
ここで、検知基板２０は、いわゆるプリント基板として製造される要素であり、各収納空間６（６ａ〜６ｃ）（図２参照）の下方に配置される。図３から図７に示すように、検知基板２０は、主として、平板２０ａと、環状電極２５と、複数の架橋電極２７（２７ａ、２７ｂ）と、複数のパッド電極３１、４１、５１と、複数の信号配線３５、４５、５５と、複数の保護配線３６、４６、５６と、を有している。
【００３８】
平板２０ａは、図３に示すように、平面視矩形（長方形）または正方形の平板であり、誘電体により形成されている。平板２０ａの素材としては、例えば、ガラスエポキシ樹脂が採用されても良い。環状電極２５は、平板２０ａの第１主面２１（上面）に設けられた導体であり、接地されている。図３に示すように、平板２０ａの外周２３に沿って環状に形成されている。
【００３９】
複数のパッド電極３１、４１、５１は、環状電極２５と同様に、  平板２０ａの第１主面２１上に設けられた導体である。図３に示すように、各パッド電極３１、４１、５１は、環状電極２５の内側２５ａに形成されるとともに、一方向（本実施の形態では、Ｙ軸方向）に沿って設けられている。
【００４０】
架橋電極２７（２７ａ、２７ｂ）は、環状電極２５および複数のパッド電極３１、４１、５１と同様に、平板２０ａの第１主面２１上に設けられた導体である。図３に示すように、各架橋電極２７（２７ａ、２７ｂ）は、環状電極２５と電気的に接続されている。
【００４１】
ここで、各架橋電極２７（２７ａ、２７ｂ）は、複数のパッド電極３１、４１、５１のうちの隣接するもの同士の間に形成されている。例えば、架橋電極２７ａは、パッド電極３１、４１の間に形成されている。
【００４２】
また、図３に示すように、各間仕切り７（７ａ、７ｂ）は、各架橋電極２７（２７ａ、２７ｂ）のうちの対応するものの直上に位置するように、配置されている。例えば、間仕切り７ａは、架橋電極２７ａの直上に配置されている。
【００４３】
複数の信号配線３５、４５、５５は、平板２０ａの第２主面２２（下面）（すなわち、第１主面２１と逆側の面）上に設けられた導体である。図４に示すように、各信号配線３５、４５、５５は、平板２０ａを挟んで環状電極２５と対向する対応領域２５ｂ（第１領域）を経由するとともに、各パッド電極３１、４１、５１のうちの対応するものと貫通孔を介して電気的に接続されている。
【００４４】
例えば、第２主面２２上において、信号配線３５は次のように設けられている。すなわち、図３および図４に示すように、信号配線３５の一端は、第１主面２１上に形成された端子３５ａと貫通孔を介して電気的に接続されている。次に、図３から図６に示すように、信号配線３５は、端子３５ａ側（一端側）から他端側の貫通孔３２に向かい、対応領域２５ｂに沿って延びる。続いて、貫通孔３２付近に到達すると、信号配線３５は、対応領域２５ｂから外れつつ、貫通孔３２に向かって延びる。そして、図５および図６に示すように、信号配線３５は、貫通孔３２を介してパッド電極３１と接続される。
【００４５】
また、第２主面２２上において、信号配線４５は次のように設けられている。すなわち、図３および図４に示すように、信号配線４５は、パッド電極３１を挟んで信号配線３５と逆側に設けられている。また、信号配線４５の一端は、第１主面２１上に形成された端子４５ａと貫通孔を介して電気的に接続されている。次に、図３、図４、および図７に示すように、信号配線４５は、端子４５ａ側（一端側）から他端側の貫通孔４２に向かい、対応領域２５ｂに沿って延びる。続いて、貫通孔４２付近に到達すると、信号配線４５は、対応領域２５ｂから外れつつ、貫通孔４２に向かって延びる。そして、図７に示すように、信号配線４５は、貫通孔４２を介してパッド電極４１と接続される。
【００４６】
さらに、第２主面２２上において、信号配線５５は次のように設けられている。すなわち、図３および図４に示すように、信号配線５５は、パッド電極３１、４１を挟んで信号配線４５と逆側に設けられている。また、信号配線５５の一端は、第１主面２１上に形成された端子５５ａと貫通孔を介して電気的に接続されている。次に、図３、図４に示すように、信号配線５５は、端子５５ａ側（一端側）から他端側の貫通孔に向かい、対応領域２５ｂに沿って延びる。続いて、他端側の貫通孔付近に到達すると、信号配線５５は、対応領域２５ｂから外れつつ、他端側の貫通孔に向かって延びる。そして、図３および図４に示すように、信号配線５５は、この貫通孔を介してパッド電極５１と接続される。
【００４７】
このように、信号配線３５、４５、５５は、図４に示すように、パッド電極３１の両側（図４の紙面における対応領域３１ａの右側および左側）に、交互（すなわち、右、左、および右の順番）に設けられている。
【００４８】
複数の保護配線３６、４６、５６は、信号配線３５、４５、５５と同様に、平板２０ａの第２主面２２上に設けられた導体である。複数の保護配線３６、４６、５６のそれぞれは、環状電極２５と電気的に接続されており、環状電極２５と同電位とされている。また、各保護配線３６、４６、５６は、各信号配線３５、４５、５５のうち対応するものに隣接して設けられている。
【００４９】
例えば、第２主面２２上において、保護配線３６は次のように設けられている。すなわち、図３および図４に示すように、保護配線３６は、パッド電極３１を挟んで信号配線３５と逆側に設けられるとともに、信号配線４５と隣接して設けられている。また、保護配線３６の一端は、第１主面２１上に形成された端子３６ａと貫通孔を介して電気的に接続されている。次に、図３から図６に示すように、保護配線３６は、端子３６ａ側（一端側）から他端側に向かい、対応領域２５ｂに沿って延びる。そして、架橋電極２７ａ付近に到達すると、保護配線３６は、架橋電極２７ａの対応領域に沿って延び、再び対応領域２５ｂに近接する位置で終わる。
【００５０】
また、第２主面２２上において、保護配線４６は次のように設けられている。すなわち、図３および図４に示すように、保護配線４６は、パッド電極３１を挟んで保護配線３６と逆側に設けられるとともに、信号配線３５、５５と隣接して設けられている。また、保護配線４６の一端は、第１主面２１上に形成された端子４６ａと貫通孔を介して電気的に接続されている。次に、図３から図６に示すように、保護配線４６は、端子４６ａ側（一端側）から他端側に向かい、対応領域２５ｂに沿って延びる。そして、架橋電極２７ｂ付近に到達すると、保護配線４６は、架橋電極２７ｂの対応領域に沿って延び、再び対応領域２５ｂに近接する位置で終わる。
【００５１】
さらに、第２主面２２上において、保護配線５６は次のように設けられている。すなわち、図３および図４に示すように、保護配線５６の一端は、第１主面２１上に形成された端子５６ａと貫通孔を介して電気的に接続されている。また、保護配線５６は、各信号配線３５、４５、５５を囲繞するように、環状電極２５の外周２５ｃに沿って配置されている。そして、保護配線５６は、信号配線４５の一端と近接する位置で終わる。
【００５２】
ここで、 図５から図７を参照しつつ、検知基板２０による対象物８の検知手法を説明する。例えば、パッド電極３１および信号配線３５に関連する寄生容量としては、図５に示すように、
（１）パッド電極３１および環状電極２５の間の容量（容量値＝「Ｃ１１」）と、
（２）信号配線３５および環状電極２５の間の容量（容量値＝「Ｃ１２」）と、
（３）信号配線３５および保護配線４６の間の容量（容量値＝「Ｃ１３」）と、
が挙げられる。
【００５３】
この場合において、パッド電極３１および環状電極２５に跨がるように対象物８の被検知体９が平板２０ａの第１主面２１上に載置されると（図６参照）、パッド電極３１および環状電極２５の間の容量値が「Ｃ１１」から「Ｃ１４」に変化する。一方、信号配線３５および環状電極２５の間の容量値、並びに信号配線３５および保護配線４６の間の容量値は、いずれも変化しない。
【００５４】
また、パッド電極４１および信号配線４５に関連する寄生容量としては、図７に示すように、
（１）パッド電極４１および環状電極２５の間の容量（容量値＝「Ｃ２１」）と、
（２）信号配線４５および環状電極２５の間の容量（容量値＝「Ｃ２２」）と、
（３）信号配線４５および保護配線５６の間の容量（容量値＝「Ｃ２３」）と、
（４）信号配線４５および保護配線３６の間の容量（容量値＝「Ｃ２４」）と、
が挙げられる。
【００５５】
この場合において、パッド電極４１および環状電極２５に跨がるように対象物８の被検知体９が平板２０ａの第１主面２１上に載置されると、パッド電極４１および環状電極２５の間の容量値が「Ｃ２１」から変化するが、信号配線４５および環状電極２５の間の容量値、信号配線４５および保護配線５６の間の容量値、並びに信号配線４５および保護配線３６の間の容量値は、いずれも変化しない。
【００５６】
さらに、図２に示すように、検知基板２０が収納ユニット１に組み込まれる場合、検知基板２０は、（１）平板２０ａの第１主面２１が収納ユニット１に収納された対象物８と対向するとともに、（２）各パッド電極３１、４１、５１が、収納空間６（６ａ〜６ｃ）のうちの対応するものの下方に位置するように、配置されている。
【００５７】
そこで、本実施の形態は、各パッド電極３１、４１、５１と環状電極２５との間の静電容量の変化を監視することによって、各パッド電極３１、４１、５１に対応する収納空間６（６ａ〜６ｃ）の収納状況を取得している。
【００５８】
ここで、複数の信号配線３５、４５、５５のうちの隣接する２つの配線３５、５５の間には、図４に示すように、保護配線４６（第１配線）が設けられている。これにより、隣接する信号配線３５、４５の影響によってパッド電極３１、４１、５１のそれぞれと環状電極２５との間の静電容量が変動することを抑制できる。そのため、対象物８の被検知体９の載置に起因したパッド電極３１、４１、５１のそれぞれと環状電極２５との間の静電容量の変化を、さらに良好に検出できる。
【００５９】
また、図４に示すように、信号配線３５、４５、５５、および保護配線３６、４６、５６のうち、環状電極２５の外周２５ｃに最近接する位置には、保護配線５６（第３配線）が設けられている。すなわち、保護配線５６は、信号配線３５、４５、５５を囲繞するように設けられている。これにより、他の電子部品から信号配線３５、４５、５５が受けるノイズ等の影響を、低減できる。そのため、他の電子部品からのノイズ等に起因してパッド電極３１、４１、５１のそれぞれと環状電極２５との間の静電容量が変動することを抑制できる。
【００６０】
さらに、  （１）環状電極２５の対応領域２５ｂに配置された信号配線３５、４５、５５、および保護配線３６、４６、５６（以下、単に、「総配線」とも称する）のうち、信号配線３５（対応配線）の次にパッド電極３１の対応領域３１ａ（第２領域）に近接するものは、保護配線３６（第４配線）であり、  （２）総配線のうちパッド電極４１の対応領域４１ａ（第２領域）に最近接する配線および２番目に近接する配線は、それぞれ信号配線４５（対応配線）および保護配線４６（第４配線）であり、  （３）総配線のうちパッド電極５１の対応領域５１ａ（第２領域）に最近接する配線および２番目に近接する配線は、それぞれ信号配線５５（対応配線）および保護配線５６（第４配線）である。
【００６１】
すなわち、  (i) パッド電極３１、４１、５１のうちの一の電極を注目電極と、  (ii)  信号配線３５、４５、５５のうち注目電極に対応し、注目電極と電気的に接続されるものを対応配線と、  (iii) 第２主面２２上であって、平板２０ａを挟んで注目電極と対向する領域をパッド対応領域（第２領域）と、それぞれ定義する場合、環状電極２５に配置された信号配線３５、４５、５５、および保護配線３６、４６、５６のうち、対応配線の次にパッド対応領域に近接するものは、保護配線３６、４６、５６のうちの一の配線（第４配線）となる。すなわち、対応配線の次に近接する配線は、必ず、保護配線３６、４６、５６のいずれかになる。
【００６２】
これにより、対応配線以外の信号配線が、注目電極（パッド電極）に影響を及ぼすことを低減できる。そのため、対応配線以外の信号配線の影響によって、注目電極（パッド電極）および環状電極の間の静電容量が変動することを抑制できる。
【００６３】
なお、本実施の形態において、平板２０ａの第１および主面２１、２２上には、端子３５ａ、３６ａ、４５ａ、４６ａ、５５ａ、５６ａを除いて、ソルダーレジストが形成されている。これにより、環状電極２５、各架橋電極２７（２７ａ、２７ｂ）、各パッド電極３１、４１、５１、各信号配線３５、４５、５５、および各保護配線３６、４６、５６を構成する導体（例えば、銅）が保護されている。
【００６４】
また、図３に示すように、端子３５ａ、４５ａ、５５ａは、それぞれパッド電極用信号線６１、６２、６３と電気的に接続されている。また、環状電極２５は、端子５６ａと電気的に接続されるとともに、端子３６ａ、４６ａ、５６ａのそれぞれは、環状電極用信号線６０と電気的に接続されている。
【００６５】
＜１．３．管理システムの機能構成＞
図８は、本実施の形態における管理システム１００の機能構成の一例を示すブロック図である。ここでは、主として、検知ユニット１０の検出部１５と、情報処理ユニット９０と、を中心に説明する。
【００６６】
検知ユニット１０の検出部１５は、図８に示すように、環状電極用信号線６０、およびパッド電極用信号線６１〜６３のそれぞれと結線されている。これにより、検出部１５は、対応する信号線６０〜６３を介して検知基板２０に設けられた各パッド電極３１、４１、５１および環状電極２５のそれぞれと接続されている。そのため、検出部１５は、パッド電極３１、４１、５１のそれぞれと、環状電極２５との間の静電容量の変化を検出することができる。
【００６７】
情報処理ユニット９０は、いわゆるパーソナルコンピュータやワークステーションにより構成されており、信号線９９を介して検知ユニット１０の検出部１５と電気的に接続されている。図８に示すように、情報処理ユニット９０は、主として、ＣＰＵ９１と、メモリ９２と、通信制御部９４と、判断部９５と、を有している。
【００６８】
ＣＰＵ９１は、メモリ９２に格納されているプログラム９２ａにしたがって、データの演算処理等を所定のタイミングで実行する。通信制御部９４は、信号線９９を介して、検知ユニット１０との間のデータ送受信処理を、所定のタイミングで実行する。
【００６９】
判断部９５は、検出部１５により検出された静電容量の変化に基づいて、各収納空間６（６ａ〜６ｃ）における対象物８の収納状況を判断する。
【００７０】
例えば、情報処理ユニット９０の起動時に対応する収納空間６に対象物８が載置されていない場合において、対応するパッド電極と環状電極２５との間の静電容量値が、増加し、所定の閾値以上になったとき、判断部９５は、対応する収納空間６に対象物８が載置されたと判断する。
【００７１】
一方、情報処理ユニット９０の起動時に対応する収納空間６に対象物８が載置されている場合において、対応するパッド電極と環状電極２５との間の静電容量値が、減少し、所定の閾値以下となったとき、判断部９５は、対応する収納空間６から対象物８が持ち出されたと判断する。
【００７２】
＜１．４．第１の実施の形態の検知基板および管理システムの利点＞
以上のように、第１の実施の形態の検知基板２０について、平板２０ａの第１主面２１上に複数のパッド電極３１、４１、５１および環状電極２５が形成され、平板２０ａの第２主面２２上に複数の信号配線３５、４５、５５および複数の保護配線３６、４６、５６が形成されている。また、複数の信号配線３５、４５、５５および複数の保護配線３６、４６、５６のそれぞれは、平板２０ａを挟んで環状電極２５と対向する対応領域２５ｂ（第１領域）を経由している。さらに、信号配線３５は保護配線４６と、信号配線４５は保護配線３６、５６と、信号配線５５は保護配線４６、５６と、それぞれ隣接して設けられている。
【００７３】
これにより、各パッド電極３１、４１、５１のいずれかと環状電極２５とに跨がるように対象物８の被検知体９が載置される場合、この載置に起因したパッド電極３１、４１、５１のそれぞれと環状電極２５との間の静電容量の変化を、良好に検出できる。そのため、この検出結果に基づいて、各パッド電極３１、４１、５１の直上のそれぞれに対象物８が載置されているか否かの判断を、良好に実行できる。
【００７４】
また、第１の実施の形態の管理システム１００において、一部に誘電体を有する対象物８であれば、この対象物８に特別な装置（例えば、ＲＦＩＤ（Radio Frequency IDentification）のような電子記憶媒体）を設けなくても、収納ユニット１内の各収納空間６における対象物の収納状況を取得できる。
【００７５】
さらに、第１の実施の形態の管理システム１００において、各収納空間６（６ａ〜６ｃ）の境界となる間仕切り７（７ａ、７ｂ）は、対応する架橋電極２７（２７ａ、２７ｂ）の直上に配置されている。これにより、同一の対象物８が同時に２以上のパッド電極の直上に載置されることを防止できる。そのため、収納空間６（６ａ〜６ｃ）における収納状況の誤検出を未然に防止できる。
【００７６】
＜２．第２の実施の形態＞
次に、本発明の第２の実施の形態について説明する。第１および第２の実施の形態の管理システム１００、２００は、対応する検知基板２０、１２０の構成が異なる点を除いては、同様な構成を有する。そこで、以下では、この相違点を中心に説明する。
【００７７】
なお、管理システム１００、２００で同様な構成要素には、同一符号が付されており、この同一符号が付された構成要素は、第１の実施の形態で説明済みである。そのため、本実施の形態では説明を省略する。
【００７８】
＜２．１．検知基板および管理システムの構成＞
図８は、本実施の形態における管理システム２００の機能構成の一例を示すブロック図である。図９および図１０は、それぞれ本実施の形態における検知基板１２０の構成の一例を示す平面図および裏面図である。
【００７９】
ここで、検知基板１２０は、検知基板２０と同様なプリント基板であり、図９および図１０に示すように、主として、平板２０ａと、環状電極２５と、複数の架橋電極２７（２７ａ、２７ｂ）と、複数のパッド電極３１、４１、５１と、複数の信号配線１３５、１４５、１５５と、複数の保護配線１３６、１４６、１５６と、を有している。
【００８０】
複数の信号配線１３５、１４５、１５５は、平板２０ａの第２主面２２上に設けられた導体である。図１０に示すように、各信号配線１３５、１４５、１５５は、平板２０ａを挟んで環状電極２５と対向する対応領域２５ｂ（第１領域）を経由するとともに、各パッド電極３１、４１、５１のうちの対応するものと貫通孔を介して電気的に接続されている。
【００８１】
複数の保護配線１３６、１４６、１５６は、信号配線１３５、１４５、１５５と同様に、平板２０ａの第２主面２２上に設けられた導体である。複数の保護配線１３６、１４６、１５６のそれぞれは、環状電極２５と電気的に接続されており、環状電極２５と同電位とされている。また、各保護配線１３６、１４６、１５６は、各信号配線１３５、１４５、１５５のうち対応するものに隣接して設けられている。
【００８２】
ここで、図１０に示すように、配線１３５、１３６、１４５、１４６、１５５、１５６の一端は、それぞれ端子１３５ａ、１３６ａ、１４５ａ、１４６ａ、１５５ａ、１５６ａと対応する貫通孔を介して電気的に接続されている。
【００８３】
また、図９および図１０に示すように、配線１３５、１３６、１４５、１４６、１５５、１５６は、環状電極２５の内側２５ａから外周２５ｃに向かって、この順番に設けられている。また、信号配線１３５、１４５の間に保護配線１３６が、信号配線１４５、１５５の間に保護配線１４６が、それぞれ設けられている。すなわち、配線１３５、１３６、１４５、１４６、１５５、１５６は、パッド電極３１の片側（図１０の紙面における対応領域３１ａの右側）に設けられている。
【００８４】
さらに、端子１３５ａ、１４５ａ、１５５ａは、それぞれ図８のパッド電極用信号線６１、６２、６３と電気的に接続されている。また、環状電極２５は、端子１５６ａと電気的に接続されるとともに、端子１３６ａ、１４６ａ、１５６ａのそれぞれは、環状電極用信号線６０と電気的に接続されている。
【００８５】
＜２．２．第２の実施の形態の検知基板および管理システムの利点＞
以上のように、第２の実施の形態の検知基板１２０によれば、第１の実施の形態の検知基板２０と同様に、各パッド電極３１、４１、５１と環状電極２５との間の静電容量の変化を監視することによって、各収納空間６における対象物８の収納状況を取得できる。
【００８６】
＜３．第３の実施の形態＞
次に、本発明の第３の実施の形態について説明する。第１および第３の実施の形態の管理システム１００、３００は、対応する検知基板２０、２２０の構成が異なる点を除いては、同様な構成を有する。そこで、以下では、この相違点を中心に説明する。
【００８７】
なお、管理システム１００、３００で同様な構成要素には、同一符号が付されており、この同一符号が付された構成要素は、第１の実施の形態で説明済みである。そのため、本実施の形態では説明を省略する。
【００８８】
＜３．１．検知基板および管理システムの構成＞
図８は、本実施の形態における管理システム３００の機能構成の一例を示すブロック図である。図１１および図１２は、それぞれ本実施の形態における検知基板２２０の構成の一例を示す平面図および裏面図である。
【００８９】
ここで、検知基板２２０は、検知基板２０と同様なプリント基板であり、図１１および図１２に示すように、主として、平板２０ａと、環状電極２５と、架橋電極２２７と、複数のパッド電極２３１、２４１と、複数の信号配線２３５、２４５と、複数の保護配線２３６、２４６と、を有している。
【００９０】
複数のパッド電極２３１、２４１は、平板２０ａの第１主面２１上に設けられた導体である。図１１に示すように、各パッド電極２３１、２４１は、環状電極２５の内側２５ａに形成されている。
【００９１】
架橋電極２２７は、環状電極２５およびパッド電極２３１、２４１と同様に、平板２０ａの第１主面２１上に設けられた導体である。図１１に示すように、各架橋電極２７は、パッド電極２３１、２４１の間に設けられるとともに、環状電極２５と電気的に接続されている。
【００９２】
複数の信号配線２３５、２４５は、平板２０ａの第２主面２２上に設けられた導体である。図１２に示すように、各信号配線２３５、２４５は、平板２０ａを挟んで環状電極２５と対向する対応領域２５ｂ（第１領域）を経由するとともに、各パッド電極２３１、２４１のうちの対応するものと貫通孔を介して電気的に接続されている。
【００９３】
複数の保護配線２３６、２４６は、信号配線２３５、２４５と同様に、平板２０ａの第２主面２２上に設けられた導体である。複数の保護配線２３６、２４６のそれぞれは、環状電極２５と電気的に接続されており、環状電極２５と同電位とされている。また、各保護配線２３６、２４６は、各信号配線２３５、２４５のうち対応するものに隣接して設けられている。
【００９４】
ここで、図１２に示すように、配線２３５、２３６、２４５、２４６の一端は、それぞれ端子２３５ａ、２３６ａ、２４５ａ、２４６ａと対応する貫通孔を介して電気的に接続されている。
【００９５】
また、信号配線２３５、２４５は、図１２に示すように、パッド電極２３１の両側（図１２の紙面における対応領域２３１ａの右側および左側）に、交互（すなわち、右および左の順番）に設けられている。また、信号配線２３５は保護配線２４６と隣接して、信号配線２４５は保護配線２３６および保護配線２４６の間に、それぞれ設けられている。また、保護配線２４６は、信号配線２３５、２４５を囲繞するように設けられている。
【００９６】
さらに、端子２３５ａ、２４５ａは、それぞれ図８のパッド電極用信号線６１、６２と電気的に接続されている。また、環状電極２５は、端子２４６ａと電気的に接続されるとともに、端子２３６ａ、２４６ａのそれぞれは、環状電極用信号線６０と電気的に接続されている。
【００９７】
＜３．２．第３の実施の形態の検知基板および管理システムの利点＞
以上のように、第３の実施の形態の検知基板２２０によれば、第１の実施の形態の検知基板２０と同様に、各パッド電極２３１、２４１と環状電極２５との間の静電容量の変化を監視することによって、各収納空間６における対象物８の収納状況を取得できる。
【００９８】
＜４．第４の実施の形態＞
次に、本発明の第４の実施の形態について説明する。第３および第４の実施の形態の管理システム３００、４００は、対応する検知基板２２０、３２０の構成が異なる点を除いては、同様な構成を有する。そこで、以下では、この相違点を中心に説明する。
【００９９】
なお、管理システム３００、４００で同様な構成要素には、同一符号が付されており、この同一符号が付された構成要素は、第３の実施の形態で説明済みである。そのため、本実施の形態では説明を省略する。
【０１００】
＜４．１．検知基板および管理システムの構成＞
図８は、本実施の形態における管理システム４００の機能構成の一例を示すブロック図である。図１３および図１４は、それぞれ本実施の形態における検知基板３２０の構成の一例を示す平面図および裏面図である。
【０１０１】
ここで、検知基板３２０は、検知基板２２０と同様なプリント基板であり、図１３および図１４に示すように、主として、平板２０ａと、環状電極２５と、架橋電極２２７と、複数のパッド電極２３１、２４１と、複数の信号配線３３５、３４５と、複数の保護配線３３６、３４６と、を有している。
【０１０２】
複数の信号配線３３５、３４５は、平板２０ａの第２主面２２上に設けられた導体である。図１４に示すように、各信号配線３３５、３４５は、平板２０ａを挟んで環状電極２５と対向する対応領域２５ｂ（第１領域）を経由するとともに、各パッド電極２３１、２４１のうちの対応するものと貫通孔を介して電気的に接続されている。
【０１０３】
複数の保護配線３３６、３４６は、信号配線３３５、３４５と同様に、平板２０ａの第２主面２２上に設けられた導体である。複数の保護配線３３６、３４６のそれぞれは、環状電極２５と電気的に接続されており、環状電極２５と同電位とされている。また、各保護配線３３６、３４６は、各信号配線３３５、３４５のうち対応するものに隣接して設けられている。
【０１０４】
ここで、図１４に示すように、配線３３５、３３６、３４５、３４６の一端は、それぞれ端子３３５ａ、３３６ａ、３４５ａ、３４６ａと対応する貫通孔を介して電気的に接続されている。
【０１０５】
また、図１３および図１４に示すように、配線３３５、３３６、３４５、３４６は、環状電極２５の内側２５ａから外周２５ｃに向かって、この順番に設けられている。また、信号配線３３５、３４５の間に保護配線３３６が設けられている。すなわち、配線３３５、３３６、３４５、３４６は、パッド電極２３１の片側（図１４の紙面における対応領域２３１ａの右側）に設けられている。
【０１０６】
さらに、端子３３５ａ、３４５ａは、それぞれ図８のパッド電極用信号線６１、６２と電気的に接続されている。また、環状電極２５は、端子３４６ａと電気的に接続されるとともに、端子３３６ａ、３４６ａのそれぞれは、環状電極用信号線６０と電気的に接続されている。
【０１０７】
＜４．２．第４の実施の形態の検知基板および管理システムの利点＞
以上のように、第４の実施の形態の検知基板３２０によれば、第３の実施の形態の検知基板２２０と同様に、各パッド電極２３１、２４１と環状電極２５との間の静電容量の変化を監視することによって、各収納空間６における対象物８の収納状況を取得できる。
【０１０８】
＜５．第５の実施の形態＞
次に、本発明の第５の実施の形態について説明する。第１および第５の実施の形態の管理システム１００、５００は、対応する検知基板２０、４２０の構成が異なる点を除いては、同様な構成を有する。そこで、以下では、この相違点を中心に説明する。
【０１０９】
なお、管理システム１００、５００で同様な構成要素には、同一符号が付されており、この同一符号が付された構成要素は、第１の実施の形態で説明済みである。そのため、本実施の形態では説明を省略する。
【０１１０】
＜５．１．検知基板および管理システムの構成＞
図８は、本実施の形態における管理システム５００の機能構成の一例を示すブロック図である。図１５および図１６は、それぞれ本実施の形態における検知基板４２０の構成の一例を示す平面図および裏面図である。
【０１１１】
ここで、検知基板４２０は、検知基板２０と同様なプリント基板であり、図１５および図１６に示すように、主として、平板２０ａと、環状電極２５と、複数の架橋電極４２７（４２７ａ、４２７ｂ）と、複数のパッド電極４３１、４４１、４５１、４６１と、複数の信号配線４３５、４４５、４５５、４６５と、複数の保護配線４３６、４５６と、を有している。
【０１１２】
複数のパッド電極４３１、４４１、４５１、４６１は、平板２０ａの第１主面２１上に設けられた導体である。図１５に示すように、各パッド電極４３１、４４１、４５１、４６１は、環状電極２５の内側２５ａに形成されるとともに、マトリックス状（本実施の形態では、２行２列）に設けられている。
【０１１３】
架橋電極４２７（４２７ａ、４２７ｂ）は、環状電極２５およびパッド電極４３１、４４１、４５１、４６１と同様に、平板２０ａの第１主面２１上に設けられた導体である。図１５に示すように、架橋電極４２７ａはパッド電極４３１、４４１と、パッド電極４５１、４６１との間に、架橋電極４２７ｂはパッド電極４３１、４５１と、パッド電極４４１、４６１との間に、それぞれ設けられている。すなわち、図１５に示すように、架橋電極４２７ａは、架橋電極４２７ｂに対して直交する。さらに、架橋電極４２７（４２７ａ、４２７ｂ）のそれぞれは、環状電極２５と電気的に接続されている。
【０１１４】
複数の信号配線４３５、４４５、４５５、４６５は、平板２０ａの第２主面２２上に設けられた導体である。図１６に示すように、各信号配線４３５、４４５、４５５、４６５は、平板２０ａを挟んで環状電極２５と対向する対応領域２５ｂ（第１領域）を経由するとともに、各パッド電極４３１、４４１、４５１、４６１のうちの対応するものと貫通孔を介して電気的に接続されている。
【０１１５】
複数の保護配線４３６、４５６は、信号配線４３５、４４５、４５５、４６５と同様に、平板２０ａの第２主面２２上に設けられた導体である。複数の保護配線４３６、４５６のそれぞれは、環状電極２５と電気的に接続されており、環状電極２５と同電位とされている。また、各保護配線４３６、４５６は、各信号配線４３５、４４５、４５５、４６５のうち対応するものに隣接して設けられている。
【０１１６】
ここで、図１６に示すように、配線４３５、４３６、４４５、４５５、４５６、４６５の一端は、それぞれ端子４３５ａ、４３６ａ、４４５ａ、４５５ａ、４５６ａ、４６５ａと対応する貫通孔を介して電気的に接続されている。
【０１１７】
また、信号配線４３５、４４５、４５５、４６５は、図１６に示すように、対応領域４３１ａの右側および対応領域４４１ａの左側に、交互（すなわち、右、左、右、および左の順番）に設けられている。また、信号配線４５５、４６５のそれぞれは、保護配線４３６、４５６の間に、設けられている。 また、保護配線４３６は信号配線４３５、４４５を囲繞するように、保護配線４５６は信号配線４３５、４４５、４５５、４６５を囲繞するように、それぞれ設けられている。
【０１１８】
さらに、端子４３５ａ、４４５ａ、４５５ａ、４６５ａは、それぞれ図８のパッド電極用信号線６１、６２、６３、６４と電気的に接続されている。また、環状電極２５は、端子４５６ａと電気的に接続されるとともに、端子４３６ａ、４５６ａのそれぞれは、環状電極用信号線６０と電気的に接続されている。
【０１１９】
＜５．２．第５の実施の形態の検知基板および管理システムの利点＞
以上のように、第５の実施の形態の検知基板４２０によれば、第１の実施の形態の検知基板２０と同様に、対象物８の被検知体９が載置されることに起因したパッド電極４３１、４４１、４５１、４６１のそれぞれと環状電極２５との間の静電容量の変化を良好に検出できる。
【０１２０】
＜６．第６の実施の形態＞
次に、本発明の第６の実施の形態について説明する。第１および第６の実施の形態の管理システム１００、６００は、対応する検知基板２０、５２０の構成が異なる点を除いては、同様な構成を有する。そこで、以下では、この相違点を中心に説明する。
【０１２１】
なお、管理システム１００、６００で同様な構成要素には、同一符号が付されており、この同一符号が付された構成要素は、第１の実施の形態で説明済みである。そのため、本実施の形態では説明を省略する。
【０１２２】
＜６．１．検知基板および管理システムの構成＞
図８は、本実施の形態における管理システム６００の機能構成の一例を示すブロック図である。図１７および図１８は、それぞれ本実施の形態における検知基板５２０の構成の一例を示す平面図および裏面図である。
【０１２３】
図８は、本実施の形態における管理システム６００の機能構成の一例を示すブロック図である。図１７および図１８は、それぞれ本実施の形態における検知基板５２０の構成の一例を示す平面図および裏面図である。
【０１２４】
ここで、検知基板５２０は、検知基板２０と同様なプリント基板であり、図１７および図１８に示すように、主として、平板２０ａと、環状電極２５と、単一のパッド電極５３１と、単一の信号配線５３５と、単一の保護配線５３６と、を有している。
【０１２５】
パッド電極５３１は、平板２０ａの第１主面２１上に設けられた導体である。図１７に示すように、パッド電極５３１は、環状電極２５の内側２５ａに形成されている。
【０１２６】
信号配線５３５は、平板２０ａの第２主面２２上に設けられた導体である。図１８に示すように、信号配線５３５は、平板２０ａを挟んで環状電極２５と対向する対応領域２５ｂ（第１領域）を経由するとともに、パッド電極５３１と貫通孔を介して電気的に接続されている。
【０１２７】
保護配線５３６は、信号配線５３５と同様に、平板２０ａの第２主面２２上に設けられた導体である。保護配線５３６は、環状電極２５と電気的に接続されており、環状電極２５と同電位とされている。また、保護配線５３６は、信号配線５３５に隣接して設けられている。
【０１２８】
ここで、図１８に示すように、配線５３５、５３６の一端は、それぞれ端子５３５ａ、５３６ａと対応する貫通孔を介して電気的に接続されている。また、端子５３５ａは、それぞれ図８のパッド電極用信号線６１と電気的に接続されている。さらに、環状電極２５は、端子５３６ａと電気的に接続されるとともに、端子５３６ａは、環状電極用信号線６０と電気的に接続されている。
【０１２９】
＜６．２．第６の実施の形態の検知基板および管理システムの利点＞
以上のように、第６の実施の形態の検知基板５２０によれば、第１の実施の形態の検知基板２０と同様に、パッド電極５３１と環状電極２５との間の静電容量の変化を監視することによって、各収納空間６における対象物８の収納状況を取得できる。
【０１３０】
＜７．変形例＞
以上、本発明の実施の形態について説明してきたが、本発明は上記実施の形態に限定されるものではなく様々な変形が可能である。
【０１３１】
（１）本発明の第１から第６の実施の形態において、各パッド電極は、環状電極および架橋電極により形成される閉領域に設けられるものとして説明したが、これに限定されるものでない。
【０１３２】
図１９は、本発明の第１の実施の形態における検知基板２０の構成の他の例（検知基板６２０）を示す平面図である。図１９に示すように、環状電極２５および架橋電極２７（２７ａ、２７ｂ）の一部に不連続（例えば、切欠６２８、６２９）が、存在する場合であっても、環状電極２５および架橋電極２７（２７ａ、２７ｂ）の全域で同電位であれば、パッド電極３１、４１、５１のそれぞれと、環状電極２５との間の静電容量の変化を良好に検出できる。
【０１３３】
（２）また、本発明の第１から第４の実施の形態において、各パッド電極が一方向に沿って設けられるとともに、各パッド電極の縦横サイズが同程度であり、各パッド電極の間隔が同程度であるものとして説明したが、これに限定されるものでない。例えば、各パッド電極のうちの少なくとも１つの縦横サイズが、他のものと異なっても良い。また、各パッド電極のうちの少なくとも１つの間隔が、他のものと異なっても良い。
【０１３４】
（３）また、本発明の第１から第６の実施の形態において、各パッド電極の外形が矩形であるものとして説明したが、これに限定されるものでない。例えば、各パッド電極の外形（輪郭）は、正方形であっても良いし、多角形であっても良い。さらに、各パッド電極の外形は曲線状とされても良い。
【０１３５】
（４）また、本発明の第１から第６の実施の形態において、環状電極２５は接地されているものとして説明したが、これに限定されるものでなく、環状電極２５の電位が一定値に設定されていれば十分である。
【０１３６】
（５）また、本発明の第１から第６の実施の形態において、対象物８の底部に誘電体の被検知体９を貼付するものとして説明したが、これに限定されるものでない。例えば、対象物８の全体が誘電体により形成されても良いし、対象物８の一部が誘電体により形成されても良い。すなわち、対象物８としては、少なくとも一部に誘電体が設けられていれば十分である。
【０１３７】
（６）さらに、本発明の第１から第６の実施の形態において、１個から４個のパッド電極を有する検知基板について説明したが、これに限定されるものでなく、パッド電極の個数は、５個以上であっても良い。
【符号の説明】
【０１３８】
１００、２００、３００、４００、５００、６００  管理システム
１０、１１０、２１０、３１０、４１０、５１０  検知ユニット
１５  検出部
２０、１２０、２２０、３２０、４２０、５２０、６２０  検知基板
９０  情報処理ユニット
【要約】
【課題】誘電体の検知を可能とする静電容量型の検知基板および検知ユニット、並びにこの検知ユニットを用いた管理システムを提供する。
【解決手段】複数のパッド電極および環状電極は、平板２０ａの第１主面上に形成されている。複数の信号配線３５、４５、５５および複数の保護配線３６、４６、５６は、平板２０ａの第２主面２２上に形成されている。また、複数の信号配線３５、４５、５５および複数の保護配線３６、４６、５６のそれぞれは、平板２０ａを挟んで環状電極と対向する対応領域２５ｂを経由している。さらに、信号配線３５は保護配線４６と、信号配線４５は保護配線３６、５６と、信号配線５５は保護配線４６、５６と、それぞれ隣接して設けられている。
【選択図】図４【図１】
0005641594.tif 000002
【図２】
0005641594.tif 000003
【図３】
0005641594.tif 000004
【図４】
0005641594.tif 000005
【図５】
0005641594.tif 000006
【図６】
0005641594.tif 000007
【図７】
0005641594.tif 000008
【図８】
0005641594.tif 000009
【図９】
0005641594.tif 000010
【図１０】
0005641594.tif 000011
【図１１】
0005641594.tif 000012
【図１２】
0005641594.tif 000013
【図１３】
0005641594.tif 000014
【図１４】
0005641594.tif 000015
【図１５】
0005641594.tif 000016
【図１６】
0005641594.tif 000017
【図１７】
0005641594.tif 000018
【図１８】
0005641594.tif 000019
【図１９】
0005641594.tif 000020